【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
対価の支払いに応じた１回のゲームプレイにつき、提供する第１のゲームコンテンツに係る第１の種別の物品を排出するゲーム装置であって、
前記第１のゲームコンテンツのゲームプレイについて、対価の支払いがなされた後、使用される前記第１の種別の物品から情報を取得する第１の取得手段と、
前記第１の取得手段により前記第１の種別の物品から取得された情報に基づき、前記使用される第１の種別の物品に対応するゲーム要素を登場させる、前記第１のゲームコンテンツのゲーム処理を実行する制御手段と、
前記第１のゲームコンテンツのゲームプレイについて、前記第１のゲームコンテンツのゲーム処理の実行が開始された後、使用される、前記第１の種別とは異なる第２の種別の物品から情報を取得する第２の取得手段と、を備え、
前記制御手段は、前記第２の取得手段により前記使用される第２の種別の物品から情報が取得された場合に、さらに該物品に対応するゲーム要素を登場させるよう、前記第１のゲームコンテンツのゲーム処理の実行を制御するゲーム装置。
【請求項２】
前記第１の種別の物品と前記第２の種別の物品とは、形態が異なる物品であると共に、関連性を有するコンテンツについて提供された物品である請求項１に記載のゲーム装置。
【請求項３】
前記第１の種別の物品は、ゲーム装置により排出される物品である一方、前記第２の種別の物品は、前記第１のゲームコンテンツのゲーム処理を実行するゲーム装置により排出されない物品である請求項１または２に記載のゲーム装置。
【請求項４】
前記使用される第１の種別の物品から前記第１の取得手段により取得された情報に基づき、前記第１のゲームコンテンツのゲームプレイに該物品が使用可能であるか否かを判断する判断手段をさらに備える請求項１乃至３のいずれか１項に記載のゲーム装置。
【請求項５】
前記判断手段は、前記使用される第１の種別の物品が、前記第１のゲームコンテンツのゲーム処理を実行するゲーム装置により排出された前記第１の種別の物品である場合、または前記第１のゲームコンテンツとは異なる第２のゲームコンテンツのゲーム処理を実行するゲーム装置により排出された前記第１の種別の物品である場合に、前記使用される第１の種別の物品を使用可能と判断する請求項４に記載のゲーム装置。
【請求項６】
前記第１のゲームコンテンツと前記第２のゲームコンテンツとは、ゲームに登場するゲーム要素のうち、少なくとも一部のゲーム要素が共通するコンテンツであることを特徴とする請求項５に記載のゲーム装置。
【請求項７】
前記制御手段は、前記第１のゲームコンテンツのゲーム処理の実行において、前記使用される第１の種別の物品が前記第１のゲームコンテンツのゲーム処理及び前記第２のゲームコンテンツのゲーム処理のいずれを実行するゲーム装置により排出された物品であるかに応じて、前記使用される第１の種別の物品に対応するゲーム要素のゲーム上の扱いを異ならせるよう制御することを特徴とする請求項５または６に記載のゲーム装置。
【請求項８】
前記制御手段は、前記第１のゲームコンテンツ及び前記第２のゲームコンテンツに登場する１つのゲーム要素について、前記第２のゲームコンテンツのゲーム処理を実行するゲーム装置により排出された前記第１の種別の物品が使用される場合よりも、前記第１のゲームコンテンツのゲーム処理を実行するゲーム装置により排出された前記第１の種別の物品が使用される場合の方が、ゲーム上有利となるよう制御することを特徴とする請求項７に記載のゲーム装置。
【請求項９】
前記制御手段は、前記第１のゲームコンテンツのゲーム処理を実行するゲーム装置により排出された前記第１の種別の物品に対応するゲーム要素と、前記第２のゲームコンテンツのゲーム処理を実行するゲーム装置により排出された前記第１の種別の物品に対応するゲーム要素とをゲーム上で識別可能なように、前記第１のゲームコンテンツのゲーム処理を制御することを特徴とする請求項５乃至８のいずれか１項に記載のゲーム装置。
【請求項１０】
前記第１のゲームコンテンツに登場するゲーム要素には、前記第２のゲームコンテンツのゲーム処理を実行するゲーム装置により排出された前記第１の種別の物品にのみ対応するゲーム要素を含むことを特徴とする請求項５乃至９のいずれか１項に記載のゲーム装置。
【請求項１１】
コンピュータを、請求項１乃至１０のいずれか１項に記載のゲーム装置の各手段として機能させるためのプログラム。
【請求項１２】
対価の支払いに応じた１回のゲームプレイにつき、提供する第１のゲームコンテンツに係る第１の種別の物品を排出するゲーム装置と、該第１の種別の物品と、前記第１の種別とは異なる第２の種別の物品とで構成されるゲームシステムであって、
前記ゲーム装置は、
前記第１のゲームコンテンツのゲームプレイについて、対価の支払いがなされた後、使用される前記第１の種別の物品から情報を取得する第１の取得手段と、
前記第１の取得手段により前記第１の種別の物品から取得された情報に基づき、前記使用される第１の種別の物品に対応するゲーム要素を登場させる、前記第１のゲームコンテンツのゲーム処理を実行する制御手段と、
前記第１のゲームコンテンツのゲームプレイについて、前記第１のゲームコンテンツのゲーム処理の実行が開始された後、使用される前記第２の種別の物品から情報を取得する第２の取得手段と、を備え、
前記制御手段は、前記第２の取得手段により前記使用される第２の種別の物品から情報が取得された場合に、さらに該物品に対応するゲーム要素を登場させるよう、前記第１のゲームコンテンツのゲーム処理の実行を制御するゲームシステム。
【手続補正２】
【補正対象書類名】明細書
【補正対象項目名】発明の名称
【補正方法】変更
【補正の内容】
【発明の名称】ゲーム装置、プログラム及びゲームシステム
【手続補正３】
【補正対象書類名】明細書
【補正対象項目名】０００１
【補正方法】変更
【補正の内容】
【０００１】
本発明は、ゲーム装置、プログラム及びゲームシステムに関し、特にゲームのキャラクタに係る物品を出力可能なゲーム装置に関する。
【手続補正４】
【補正対象書類名】明細書
【補正対象項目名】０００７
【補正方法】変更
【補正の内容】
【０００７】
本発明は、上述の問題点に鑑みてなされたものであり、収集した物品の用途を拡張した好適なゲーム体験をプレイヤに可能ならしめるゲーム装置、プログラム及びゲームシステムを提供することを目的とする。
【手続補正５】
【補正対象書類名】明細書
【補正対象項目名】０００８
【補正方法】変更
【補正の内容】
【０００８】
前述の目的を達成するために、本発明のゲーム装置は、対価の支払いに応じた１回のゲームプレイにつき、提供する第１のゲームコンテンツに係る第１の種別の物品を排出するゲーム装置であって、第１のゲームコンテンツのゲームプレイについて、対価の支払いがなされた後、使用される第１の種別の物品から情報を取得する第１の取得手段と、第１の取得手段により第１の種別の物品から取得された情報に基づき、使用される第１の種別の物品に対応するゲーム要素を登場させる、第１のゲームコンテンツのゲーム処理を実行する制御手段と、第１のゲームコンテンツのゲームプレイについて、第１のゲームコンテンツのゲーム処理の実行が開始された後、使用される、第１の種別とは異なる第２の種別の物品から情報を取得する第２の取得手段と、を備え、制御手段は、第２の取得手段により使用される第２の種別の物品から情報が取得された場合に、さらに該物品に対応するゲーム要素を登場させるよう、第１のゲームコンテンツのゲーム処理の実行を制御する。